(57)【特許請求の範囲】
【請求項１】
鏡筒の筒内に収容されたレンズと、
環状とされ、前記鏡筒の内周に嵌合し、内周壁には周方向で異なる３カ所以上の位置にレンズ受部が形成されており、前記レンズを前記レンズ受部で受けつつ内周に嵌合させるレンズ保持環と、
を備え、
前記レンズは、外周が前記レンズ保持環の前記レンズ受部に嵌合するレンズ部と、該レンズ部よりも径方向外側に張り出され、前記鏡筒と離間した張出部とを有し、
前記レンズ保持環には、前記張出部と光軸方向で当接する位置決め面が形成されている、レンズユニット。
【請求項３】
前記レンズ保持環の光軸方向における前記位置決め面と反対側には、光軸方向の隣接部材と当接して前記隣接部材と前記レンズとの間隔を規定する当接面が形成されている、請求項１に記載のレンズユニット。
【請求項４】
前記レンズ保持環の内周壁は、光軸方向から見て多角形状とされている、請求項１〜請求項３のいずれか１項に記載のレンズユニット。
【請求項５】
前記レンズ保持環の光軸方向の熱膨張係数は、光軸と直交する方向の熱膨張係数よりも小さい、請求項１〜請求項４のいずれか１項に記載のレンズユニット。
【請求項６】
前記レンズ保持環は、無機繊維含有樹脂で形成されている、請求項１〜請求項５のいずれか１項に記載のレンズユニット。
【請求項７】
前記レンズ保持環は、成形用のゲート跡部を有し、
前記レンズ受部は、周方向において前記ゲート跡部に対して対称位置に配置されている、請求項６に記載のレンズユニット。
【請求項８】
前記鏡筒の内周と前記レンズ保持環の外周とは、周方向に異なる３カ所以上の位置で当接されている、請求項１〜請求項７のいずれか１項に記載のレンズユニット。
【請求項９】
前記鏡筒の内周壁は、光軸方向から見て多角形状とされている、請求項１〜請求項８のいずれか１項に記載のレンズユニット。
【請求項１０】
前記レンズ受部と、前記鏡筒の内周と前記レンズ保持環との嵌合位置は、周方向に異なる位置に配置されている、請求項１〜請求項９のいずれか１項に記載のレンズユニット。
【請求項１１】
前記鏡筒は、無機繊維含有樹脂で形成されている、請求項１〜請求項１０のいずれか１項に記載のレンズユニット。
【請求項１２】
前記レンズユニットは、車載用又は監視用のレンズユニットである請求項１から請求項１１のいずれか１項に記載のレンズユニット。
【発明の詳細な説明】
【技術分野】
【０００１】
本開示は、レンズユニットに関する。
【背景技術】
【０００２】
レンズユニットでは、レンズをレンズ保持環に圧入し、このレンズ保持環を鏡筒の内側に嵌合させることにより、レンズを鏡筒内に保持する構造をとる場合がある（例えば、特開２０１４−１７０１２３号公報参照）。
【発明の概要】
【発明が解決しようとする課題】
【０００３】
このように、レンズ保持環を介して鏡筒内にレンズを保持する場合、レンズをレンズ保持環に圧入する際に、レンズはレンズ保持環からの力を受ける。また、レンズ保持環を鏡筒内に圧入する際にも、レンズはレンズ保持環が鏡筒から受ける力の影響を受ける。したがって、成形時におけるレンズ保持環の内径のバラツキ等により、レンズの組立性が低下することが考えられる。
本開示は、上記事実を考慮したものであり、鏡筒内に収容されるレンズの組立性を向上させることができるレンズユニットを提供することを目的とする。
【課題を解決するための手段】
【０００４】
第１態様に係るレンズユニットは、鏡筒の筒内に収容されたレンズと、環状とされ、鏡筒の内周に嵌合し、内周壁には周方向で異なる３カ所以上の位置にレンズ受部が形成されており、レンズをレンズ受部で受けつつ内周に嵌合させるレンズ保持環と、を備えている。【０００５】
第１態様に係るレンズユニットでは、鏡筒の内周にレンズ保持環が嵌合している。レンズは、レンズ保持環の内周壁に形成されたレンズ受部で受けられつつ、レンズ保持環に嵌合されている。このレンズ受部は、レンズ保持環の内周壁の周方向で異なる３カ所以上の位置に形成されている。したがって、レンズとレンズ保持環とは、レンズの周方向に間隔をあけた多点の嵌合状態となる。これにより、周方向全体が接触した場合よりも、接触面積が小さくなるので、レンズ保持環にレンズを収容し易くなる。【０００６】
また、鏡筒からの力を受けてレンズ保持環に歪みが生じても、内周面全体でレンズを受ける場合と比較して、レンズをレンズ保持環に組み付ける際の挿入力を小さくでき、レンズの組立性を向上させることができる。【０００７】
第２の態様に係るレンズユニットは、レンズは、外周がレンズ保持環のレンズ受部に嵌合するレンズ部と、該レンズ部よりも径方向外側に張り出された張出部とを有し、レンズ保持環には、張出部と光軸方向で当接する位置決め面が形成されている。【０００８】
第２態様に係るレンズユニットでは、レンズ部の外周がレンズ保持環の受部に嵌合し、張出部がレンズ保持環の位置決め面に光軸方向で当接する。したがって、レンズ保持環の位置決め面により、レンズの光軸方向の位置決めを行うことができる。【０００９】
第３の態様に係るレンズユニットは、レンズ保持環の光軸方向における位置決め面と反対側には、隣接部材と当接して光軸方向の隣接部材とレンズとの間隔を規定する当接面が形成されている。【００１０】
第３態様に係るレンズユニットによれば、当接部により、レンズと隣接部材との間隔を規定することができる。【００１１】
第４の態様に係るレンズユニットは、レンズ保持環の内周壁は、光軸方向から見て多角形状とされている。【００１２】
第４態様に係るレンズユニットでは、レンズ保持環の内周壁を多角形状にすることにより、レンズの外周とレンズ受部とが軸方向に沿った線接触となる。これにより、鏡筒からの力を受けてレンズ保持環に歪みが生じていても、レンズの外周を曲面で受ける面接触の構造と比較して、組み付け時の抵抗が減り、且つ、レンズの挿入方向に線接触しているので、レンズの組付性を向上させることができる。【００１３】
第５の態様に係るレンズユニットは、レンズ保持環の光軸方向の熱膨張係数は、光軸と直交する方向の熱膨張係数よりも小さい。【００１４】
第５態様に係るレンズユニットでは、レンズ保持環の光軸方向の熱膨張係数を小さくすることにより、熱膨張による光軸方向の変化量を小さくして解像度低下への影響を小さくすることができる。【００１５】
第６の態様に係るレンズユニットは、レンズ保持環は、無機繊維含有樹脂で形成されている。【００１６】
第６の態様に係るレンズユニットによれば、レンズ保持環を無機繊維含有樹脂で形成することにより、レンズ保持環の強度を上げることができる。また、無機繊維の配向により熱膨張率に異方性を持たせることができる。【００１７】
第７の態様に係るレンズユニットは、レンズ保持環は、成形用のゲート跡部を有し、レンズ受部は、周方向においてゲート跡部に対して対称位置に配置されている。【００１８】
第７の態様に係るレンズユニットによれば、レンズ受部は、ゲート跡部に対して、周方向において対称位置に配置されているので、レンズがレンズ受部から受ける力の周方向における均一化を図ることができる。【００１９】
第８の態様に係るレンズユニットは、鏡筒の内周とレンズ保持環の外周とは、周方向に異なる３カ所以上で当接されている。【００２０】
第８の態様に係るレンズユニットによれば、レンズ保持環の外周が鏡筒の内周に周方向に異なる３カ所以上で当接されているので、内周全体でレンズ保持環を受ける場合と比較して、レンズ保持環を鏡筒に組み付ける際の挿入力を小さくできる。これにより、レンズ保持環の組み立て性を向上させることができる。【００２１】
第９の態様に係るレンズユニットは、鏡筒の内周壁は、光軸方向から見て多角形状とされている。【００２２】
第９の態様に係るレンズユニットでは、鏡筒の内周壁が多角形状であるので、鏡筒の内周壁がレンズ保持環の外周と線接触となる。これにより、鏡筒からの力を受けたときのレンズ保持環の歪みを抑制することができ、レンズ保持環の外周を曲面で受ける面接触の構造と比較して、組み付け時の抵抗が減り、レンズ保持環の組付性を向上させることができる。【００２３】
第１０の態様に係るレンズユニットは、レンズ受部と、鏡筒の内周とレンズ保持環との嵌合位置は、周方向に異なる位置に配置されている。【００２４】
第１０の態様に係るレンズユニットでは、鏡筒とレンズ保持環との嵌合部分と、レンズ保持環とレンズとの嵌合部分とが、周方向にずれているので、レンズ保持環が鏡筒からの力を受ける位置と、レンズがレンズ保持環からの力を受ける位置とが異なっている。したがって、鏡筒からの力がレンズへ作用しにくくなり、レンズ組付時の抵抗も低減することができる。【００２５】
第１１の態様に係るレンズユニットは、鏡筒は、無機繊維含有樹脂で形成されている。【００２６】
第１１の態様に係るレンズユニットでは、鏡筒を無機繊維含有樹脂で形成することにより、鏡筒の強度を上げることができる。また、形状設計の自由度が上がり、さらに、無機繊維の配向により熱膨張率に異方性を持たせることができる。【００２７】
第１２の態様に係るレンズユニットは、レンズユニットは、車載用又は監視用のレンズユニットである。【００２８】
第１２の態様に係るレンズユニットは、車載用や監視用のレンズユニットであるので、高温に晒される場合があるが、高温に晒されて、レンズが熱により膨張しても、鏡筒からの力を受けにくくすることができる。
【発明の効果】
【００２９】
本開示によれば、鏡筒内に収容されるレンズの組立性を向上させることができる。
【図面の簡単な説明】
【００３０】
【図１】第１実施形態に係るレンズユニットの要部を示す、縦断面図である。
【図２】図１のＡ−Ａ線で切断した切断面を拡大して示す断面図である。
【図３】第１実施形態の他の変形例に係るレンズユニットの光軸方向から見た断面図である。
【図４】第１実施形態の他の変形例に係るレンズユニットの光軸方向から見た断面図である。
【図５】第１実施形態の他の変形例に係るレンズユニットの光軸方向から見た断面図である。
【図６】第２実施形態に係るレンズユニットの光軸方向から見た断面図である。
【図７】第２実施形態の変形例に係るレンズユニットの光軸方向から見た断面図である。
【図８】第２実施形態の他の変形例に係るレンズユニットの光軸方向から見た断面図である。
【図９】第３実施形態に係るレンズユニットの要部を示す、縦断面図である。
【図１０】第４実施形態に係るレンズユニットの要部を示す、縦断面図である。
【発明を実施するための形態】
【００３１】
[第１実施形態]
以下、図面を参照しながら第１実施形態を説明する。なお、図面において同一機能を有する構成要素には同一符号を付し、説明を適宜省略する。また、各図において適宜示されるＳは、光軸を示すものであり、光軸Ｓに沿った方向を光軸方向と記載する。
【００３２】
図１に示されるように、本実施形態に係るレンズユニット１０は、第１レンズ１２、第２レンズ１４、第１レンズ１２及び第２レンズ１４を収容する樹脂製の鏡筒１８、及び、第２レンズ１４を保持するレンズ保持環２０を含んで構成されている。なお、鏡筒１８には、第１レンズ１２及び第２レンズ１４とは別に複数のレンズが収容されて光学系が構成されている。また、図１において、図中上側が物体側であり、図中下側が像側である。レンズユニット１０よりも像側には、ＣＭＯＳ（Complementary Metal Oxide Semiconductor）イメージセンサやＣＣＤ（Charge Coupled Device）イメージセンサなどの撮像素子（不図示）が配置されている。
【００３３】
（レンズの構成） 
第１レンズ１２は、光軸方向から見て略円形に形成されており、物体側は凸となるように湾曲され、像側は凹となるように湾曲されている。第１レンズ１２には、像側の外周に溝１２Ａが形成されており、Ｏリング１２Ｂが取り付けられている。第１レンズ１２は、一例として、ガラス製である。
【００３４】
第２レンズ１４は、第１レンズ１２の像側に配置されており、光軸方向から見て略円形に形成されている。第２レンズ１４は、レンズ部１５及び張出部１６を有している。レンズ部１５は、第２レンズ１４の光学面を構成し、物体側は凸となるように湾曲され、像側は凸となるように湾曲されている。張出部１６は、レンズ部１５の光軸方向中央部で径方向外側に張出し、物体側に向く張出面１６Ａを有している。レンズ部１５には、張出部１６よりも物体側の外周に外周面１５Ａが形成されている。レンズ部１５と張出部１６とは、一体形成されている。第２レンズ１４は、一例として、ガラス製である。
【００３５】
（レンズ保持環の構成）
レンズ保持環２０は、光軸方向の両端部が開口された環状に形成されており、樹脂成形により形成されている。
【００３６】
ここで、レンズ保持環２０は、一例として、無機繊維含有の樹脂で構成することができる。レンズ保持環２０を無機繊維等を含有する、所謂繊維強化プラスチック製とすることにより、機械的強度が高くなる。使用する樹脂としては、例えば、ポリアミド、ポリアセタール、ポリカーボネート、ポリフェニレンエーテル、ポリブチレンテレフタレート、ポリエチレンテレフタレート、ポリエチレン、シンジオタクチックポリスチレン、ポリサルホン、ポリエーテルサルホン、ポリフェニレンスルファイド、ポリアリレート、ポリアミドイミド、ポリエーテルイミド、ポリエーテルエーテルケトン、アクリロニトリルブダジエンスチレン、ポリオレフィン及び各々の変性ポリマーからなる群より選択される少なくとも一種、又は当該群から選択される少なくとも一種を含むポリマーアロイなどを用いることができる。繊維としては、ガラス繊維や炭素繊維、繊維強化プラスチック、無機フィラー等を用いることができる。
【００３７】
また、レンズ保持環２０は、光軸方向の熱膨張係数が光軸と直交する方向の熱膨張係数よりも小さいことが好ましい。熱膨張による光軸方向の変化量を小さくして解像度低下への影響を小さくすることができるためである。上記の繊維の配向方向を、光軸に沿った方向とすることにより、光軸方向の熱膨張係数を光軸と直交する方向の熱膨張係数よりも小さくすることができる。
【００３８】
レンズ保持環２０は、物体側から順に間隔規定部２２及び保持部２４を含んで構成されている。間隔規定部２２は、環状とされ、物体側を向く当接面２２Ａを有している。当接面２２Ａは、第１レンズ１２の像側の面に当接する。第１レンズ１２は、レンズ保持環２０を介して第２レンズ１４に光軸方向で隣接する隣接部材である。
【００３９】
保持部２４は、間隔規定部２２と一体形成され、保持部２４の内周面２４Ａは、間隔規定部２２の内周面よりも径方向内側に配置されている。保持部２４の像側には、像側を向く位置決め面２４Ｂが形成されている。位置決め面２４Ｂは、張出面１６Ａと当接されている。間隔規定部２２と保持部２４は、同一外径とされ、レンズ保持環２０の外周面２０Ａは面一状とされている。
【００４０】
図２に示されるように、内周面２４Ａは、光軸方向から見て多角形状に形成されており、本実施形態では一例として、光軸方向から見て略正１２角形状に形成されている。内周面２４Ａは、正１２角形の各辺を形成する１２のレンズ受部２４ＡＳを有し、隣り合うレンズ受部２４ＡＳ間に角部２４ＡＲが形成されている。レンズ受部２４ＡＳは、平坦面とされている。
【００４１】
レンズ保持環２０の外周面には、成形時に成形用のゲート部分に配置されていたゲート跡部２０Ｇが形成されている。レンズ受部２４ＡＳは、ゲート跡部２０Ｇに対して、周方向において対称位置に配置されることが好ましい。レンズ保持環２０は、ゲート跡部２０Ｇに対して非対称に加わる力に対して歪みが生じやすいためである。
【００４２】
なお、本実施形態におけるゲート跡部とは、レンズ保持環の射出成形時に溶融状態の樹脂材を成形金型内に導入する導入部（ゲート）の痕跡の一部が、成形後のレンズ保持環に残存している場合に限らず、痕跡を残さないためにレンズ保持環のゲートの痕跡を切断除去した場合も含む。また、本実施形態では、ゲートが１カ所のみの場合を例に説明しているが、複数のゲートから樹脂材が導入されていてもよい。この場合には、複数のゲート跡部が形成され、例えば、２カ所であれば、ゲート跡部２０と周方向に１８０°ずれた位置にもう一カ所のゲート跡部が形成される。
【００４３】
保持部２４の内側には、レンズ部１５が嵌合されている。レンズ部１５の外周面１５Ａは、１２のレンズ受部２４ＡＳのそれぞれに当接されており、当接された部位が保持位置Ｐ１となっている。すなわち、レンズ部１５は、レンズ受部２４ＡＳの保持位置Ｐ１で直線状に受けられつつ保持部２４の内側に嵌合されている。
【００４４】
（鏡筒の構成）
鏡筒１８は、光軸方向の両端部が開口された略円筒状に形成されており、樹脂成形により形成されている。鏡筒１８の物体側の端部には、熱カシメされたカシメ部１８Ｋが形成されており、このカシメ部によって光学系の部品が鏡筒１８から外れるのを抑制している。また、鏡筒１８の像側の端部には、図示しない押さえ部が設けられており、この押さえ部には光学絞りの機能を有する透孔が形成されている。
【００４５】
ここで、鏡筒１８は一例として、無機繊維含有の樹脂で構成することができる。鏡筒１８を無機繊維等を含有する、所謂無機繊維強化プラスチック製とすることにより、機械的強度が高くなる。使用する樹脂としては、例えば、ポリアミド、ポリアセタール、ポリカーボネート、ポリフェニレンエーテル、ポリブチレンテレフタレート、ポリエチレンテレフタレート、ポリエチレン、シンジオタクチックポリスチレン、ポリサルホン、ポリエーテルサルホン、ポリフェニレンスルファイド、ポリアリレート、ポリアミドイミド、ポリエーテルイミド、ポリエーテルエーテルケトン、アクリロニトリルブダジエンスチレン、ポリオレフィン及び各々の変性ポリマーからなる群より選択される少なくとも一種、又は当該群から選択される少なくとも一種を含むポリマーアロイなどを用いることができる。繊維としては、ガラス繊維や炭素繊維、繊維強化プラスチック、無機フィラー等を用いることができる。
【００４６】
なお、鏡筒１８は、高い遮光性及び光吸収性が要求される。使用する樹脂は黒色であることが好ましく、上記の樹脂材料は黒色顔料又は黒色染料を含むことが好ましい。黒色顔料又は黒色染料を含む樹脂材料によって鏡筒１８を構成することにより、鏡筒１８の内壁面を黒色とすることができ、鏡筒１８の内壁面における可視光の反射をより有効に抑制することができる。
【００４７】
また、鏡筒１８は、光軸方向の熱膨張係数が光軸と直交する方向の熱膨張係数よりも小さいことが好ましい。熱膨張による  光軸方向の変化量を小さくして解像度低下への影響を小さくすることができるためである。上記の繊維の配向方向を、光軸に沿った方向とすることにより、光軸方向の熱膨張係数を光軸と直交する方向の熱膨張係数よりも小さくすることができる。
【００４８】
また、鏡筒１８は、金属製であってもよい。
【００４９】
図２に示されるように、鏡筒１８の内周面１８Ａは、光軸方向から見て多角形状に形成されており、本実施形態では一例として、光軸方向から見て略正１２角形状に形成されている。内周面１８Ａは、正１２角形の各辺を形成する１２の保持環受部１８ＡＳを有し、隣り合う保持環受部１８ＡＳ間に角部１８ＡＲが形成されている。保持環受部１８ＡＳは、平坦状とされている。
【００５０】
鏡筒１８の内側には、第１レンズ１２、レンズ保持環２０、及び第２レンズ１４が収容されている。第１レンズ１２は、鏡筒１８の物体側端部に配置され、溝１２Ａに挿入されたＯリング１２Ｂにより、鏡筒１８の内周面１８Ａとの間がシールされている。
【００５１】
レンズ保持環２０は、保持部２４の内側にレンズ部１５を嵌合させた状態で、鏡筒１８の内側に嵌合されている。レンズ保持環２０のレンズ受部２４ＡＳと、鏡筒１８の１２の保持環受部１８ＡＳとは、周方向に異なる位置（ずれた位置）に配置されている。本実施形態では、角部１８ＡＲと角部２４ＡＲが、光軸を中心に１５度ずれた位置に配置されている。レンズ保持環２０の外周面２０Ａは、１２の保持環受部１８ＡＳのそれぞれに当接されており、当接された部位が保持位置Ｐ２となっている。すなわち、レンズ保持環２０は、保持環受部１８ＡＳの保持位置Ｐ２で直線状に受けられつつ鏡筒１８の内側に嵌合されている。保持位置Ｐ１と保持位置Ｐ２とは、光軸を中心に１５度ずれた位置に配置されている。
【００５２】
レンズ保持環２０の当接面２２Ａは、第１レンズ１２の像側の面に当接されている。第２レンズ１４の張出部１６の外周面と鏡筒１８の内周面１８Ａとの間は離間している。
【００５３】
（作用及び効果）
次に、本実施形態の作用及び効果について説明する。
【００５４】
本実施形態では、第２レンズ１４は、レンズ保持環２０の内周面２４Ａに形成されたレンズ受部２４ＡＳで受けられつつ、レンズ保持環２０に嵌合されている。レンズ受部２４ＡＳは、レンズ保持環２０の内周面２４Ａの周方向で異なる３点以上（１２カ所）の保持位置Ｐ１で接触しつつレンズ部１５を保持している。したがって、第２レンズ１４とレンズ保持環２０とは、第２レンズ１４の周方向に間隔をあけた多点の嵌合状態となる。これにより、周方向全体が接触した場合よりも、接触面積が小さくなるので、レンズ保持環２０に第２レンズ１４を収容し易くなる。
【００５５】
また、鏡筒１８からの力を受けてレンズ保持環２０に歪みが生じても、円形の内周全体でレンズを受ける場合と比較して、第２レンズ１４をレンズ保持環２０に組み付ける際の挿入力を小さくできる。したがって、安定してレンズ保持環２０に第２レンズ１４を挿入することができる。これにより、第２レンズ１４の組立性を向上させることができる。
【００５６】
また、本実施形態では、レンズ受部２４ＡＳは、レンズ部１５の外周面１５Ａと線接触している。したがって、鏡筒１８からの力を受けてレンズ保持環２０に歪みが生じていても、レンズの外周を曲面で受ける面接触の構造と比較して、組み付け時の抵抗が減る。また、第２レンズ１４の挿入方向に線接触しているので、第２レンズ１４の組付性を向上させることができる。
【００５７】
また、本実施形態では、レンズ保持環２０は、鏡筒１８の内周面１８Ａに形成された保持環受部１８ＡＳで受けられつつ、鏡筒１８に嵌合されている。保持環受部１８ＡＳは、鏡筒１８の内周面１８Ａの周方向で異なる１２カ所の保持位置Ｐ２で線状に接触しつつレンズ保持環２０を保持している。したがって、鏡筒１８とレンズ保持環２０とは、レンズ保持環２０の周方向に間隔をあけた多点の嵌合状態となる。これにより、周方向全体が接触した場合よりも、接触面積が小さくなるので、鏡筒１８にレンズ保持環２０を収容し易くなる。
【００５８】
また、鏡筒１８からの力を受けても、円形の内周全体でレンズ保持環２０を受ける場合と比較して、レンズ保持環２０を鏡筒１８に組み付ける際の挿入力を小さくできる。これにより、レンズ保持環２０の組み立て性を向上させることができる。
【００５９】
また、本実施形態では、保持環受部１８ＡＳは、レンズ保持環２０の外周面２０Ａと線接触している。したがって、レンズ保持環２０の外周を曲面で受ける面接触の構造と比較して、組み付け時の抵抗が減る。また、レンズ保持環２０の挿入方向に線接触しているので、レンズ保持環２０の組付性を向上させることができる。
【００６０】
さらに、本実施形態では、鏡筒１８とレンズ保持環２０の嵌合部分である保持位置Ｐ２と、レンズ保持環２０とレンズ部１５の嵌合部分である保持位置Ｐ１とが、周方向で異なる位置に配置されている。即ち、レンズ保持環２０が鏡筒からの力を受ける位置と、レンズ部１５がレンズ保持環２０からの力を受ける位置とがずれている。したがって、鏡筒１８からの力がレンズ部１５へ作用されにくくなり、レンズ組付時の抵抗も低減することができる。
【００６１】
また、第２レンズ１４は、レンズ部１５よりも径方向外側に張り出された張出部１６を有し、光軸方向の物体側に張出面１６Ａが形成されている。張出面１６Ａをレンズ保持環２０の位置決め面２４Ｂに当接させることにより、レンズ保持環２０に対する第２レンズ１４の光軸方向の位置決めを容易に行うことができる。
【００６２】
また、レンズ保持環２０の光軸方向における位置決め面２４Ｂと反対側には、物体側を向く当接面２２Ａが形成されている。当接面２２Ａを第１レンズ１２に当接させることにより、レンズ保持環２０を介して、第１レンズ１２と第２レンズ１４との間隔を規定することができる。
【００６３】
また、本実施形態では、鏡筒１８の内周面１８Ａを光軸方向からみて多角形状に構成したが、鏡筒１８の内周面１８Ａは、図３に示されるように、光軸方向からみて円形状に形成してもよい。
【００６４】
また、本実施形態では、レンズ保持環２０の内周面２４Ａを正１２角形状としたが、図４に示されるように、正６角形状としてもよい。なお、図４の例では、鏡筒１８の内周面１８Ａについても、正６角形状としている。
【００６５】
また、本実施形態では、レンズ受部２４ＡＳを平坦面状としたが、図５に示されるように、径方向内側に凸となる湾曲状としてもよい。
【００６６】
[第２実施形態]
次に、第２実施形態のレンズユニット１０Ａについて説明する。なお、第１実施形態と同一の構成については、第１実施形態と同一の符号を付して説明を省略する。なお、本実施形態では、レンズ保持環２０に形成されるゲート跡部については図示を省略している。
【００６７】
本実施形態のレンズユニット１０Ａは、レンズ保持環２０の内周面の形状、及び、鏡筒１８の内周面の形状が第１実施形態と異なっている。
【００６８】
図６に示されるように、レンズ保持環２０の内周には、内周壁２１から径方向内側に突出するレンズ受部２１Ａが形成されている。レンズ受部２１Ａは、レンズ部１５の外周面１５Ａに沿って湾曲する当接面を有すると共に光軸方向に延在され、周方向に等間隔で複数箇所（本実施形態では３カ所）に形成されている。レンズ部１５の外周は、周方向の３カ所でレンズ受部２１Ａに受けられつつレンズ保持環２０の内側に嵌合されている。
【００６９】
鏡筒１８の内周には、内周壁１９から径方向内側に突出する保持環受部１９Ａが形成されている。保持環受部１９Ａは、レンズ保持環２０の外周面２０Ａに沿って湾曲する当接面を有すると共に光軸方向に延在され、周方向に等間隔で複数箇所（本実施形態では３カ所）に形成されている。保持環受部１９Ａは、レンズ受部２１Ａと周方向で異なる位置に配置され、本実施形態では、隣り合う２つのレンズ受部２１Ａの中間に１つの保持環受部１９Ａが配置されている。レンズ保持環２０の外周は、周方向の３カ所で保持環受部１９Ａに受けられつつ鏡筒１８の内側に嵌合されている。
【００７０】
次に、本実施形態の作用及び効果について説明する。
【００７１】
本実施形態では、第２レンズ１４は、レンズ保持環２０の内周壁２１に形成されたレンズ受部２１Ａにおいて、第１実施形態と同様、周方向に間隔をあけた多点の嵌合状態となる。これにより、周方向全体が接触した場合よりも、接触面積が小さくなるので、レンズ保持環２０に第２レンズ１４を収容し易くなる。
【００７２】
また、鏡筒１８からの力を受けてレンズ保持環２０に歪みが生じても、第２レンズ１４をレンズ保持環２０に組み付ける際の挿入力を小さくでき、安定してレンズ保持環２０に第２レンズ１４を挿入することができる。これにより、第２レンズ１４の組立性を向上させることができる。
【００７３】
また、本実施形態では、レンズ受部２１Ａは、第２レンズ１４の挿入方向に延在しているので、第２レンズ１４の組付性を向上させることができる。
【００７４】
さらに、本実施形態では、レンズ保持環２０は、鏡筒１８の内周壁１９に形成された保持環受部１９Ａにおいて、第１実施形態と同様、レンズ保持環２０の周方向に間隔をあけた多点の嵌合状態となる。これにより、周方向全体が接触した場合よりも、接触面積が小さくなるので、鏡筒１８にレンズ保持環２０を収容し易くなる。
【００７５】
また、鏡筒１８からの力を受けても、円形の内周全体でレンズ保持環２０を受ける場合と比較して、レンズ保持環２０を鏡筒１８に組み付ける際の挿入力を小さくできる。これにより、レンズ保持環２０の組み立て性を向上させることができる。
【００７６】
さらに、本実施形態でも、鏡筒１８とレンズ保持環２０の嵌合部分と、レンズ保持環２０とレンズ部１５の嵌合部分とが、周方向で異なる位置に配置されているので、鏡筒１８からの力がレンズ部１５へ作用されにくくなり、レンズ組付時の抵抗も低減することができる。
【００７７】
なお、本実施形態では、鏡筒１８の内周面１８Ａに保持環受部１９Ａを形成したが、鏡筒１８の内周面１８Ａは、図７に示されるように、光軸方向からみて円形状に形成してもよい。
【００７８】
また、本実施形態では、レンズ受部２１Ａを３カ所に設けたが、３カ所に限定されず、４カ所以上に設けてもよい。図８には、６カ所に設けた場合が例示されている。また、レンズ受部２１Ａは、図８に示されるように、内周壁２１から径方向内側に突出させるのではなく、内周壁２１に溝２１Ｂを形成することにより形成することもできる。鏡筒１８の保持環受部１９Ａについても同様に、内周壁１９に溝１９Ｂを形成することにより、保持環受部１９Ａを形成することができる。
【００７９】
[第３実施形態]
次に、第３実施形態のレンズユニット３０について説明する。なお、第１、第２実施形態と同一の構成については、第１実施形態と同一の符号を付して説明を省略する。
【００８０】
図９に示されるように、本実施形態のレンズユニット３０は、第３レンズ３２、第３レンズ３２を収容する鏡筒１８、及び、第３レンズ３２を保持するレンズ保持環３８を含んで構成されている。また、鏡筒１８には、第３レンズ３２とは別に複数のレンズが収容されて光学系が構成されている。また、図９において、図中上側が物体側であり、図中下側が像側である。
【００８１】
（レンズの構成）
第３レンズ３２は、レンズ部３４及び張出部３６を有している。レンズ部３４は、第３レンズ３２の光学面を構成し、物体側は物体側が凸となるように湾曲され、像側は像側が凸となるように湾曲されている。張出部３６は、レンズ部３４の光軸方向中央部で径方向外側に張出し、像側に向く張出面３６Ａを有している。レンズ部３４には、張出部３６よりも像側の外周に外周面３４Ａが形成されている。レンズ部３４と張出部３６とは、一体形成されている。
【００８２】
（レンズ保持環の構成）
レンズ保持環３８は、光軸方向の両端部が開口された環状に形成されており、樹脂成形により形成されている。レンズ保持環３８は、第１実施形態の保持部２４のみで間隔規定部２２を有さない形状とされている。レンズ保持環３８は、第１実施形態と同様の材料により形成することができる。レンズ保持環３８の物体側には、物体側を向く位置決め面３８Ｂが形成されている。位置決め面３８Ｂは、張出面３６Ａと当接されている。
【００８３】
レンズ保持環３８の内周面２４Ａは、第１実施形態の保持部２４と同様に、光軸方向から見て多角形状に形成されており、１２のレンズ受部２４ＡＳを有し、隣り合うレンズ受部２４ＡＳ間に角部２４ＡＲが形成されている。レンズ保持環３８の内側には、第１実施形態のレンズ部１５と同様に、レンズ部３４が嵌合されている。
【００８４】
鏡筒１８の内側には、レンズ保持環３８、及び第３レンズ３２が収容されている。レンズ保持環３８は、内側にレンズ部３４を嵌合させた状態で、鏡筒１８の内側に嵌合されている。レンズ保持環３８のレンズ受部２４ＡＳと、鏡筒１８の保持環受部１８ＡＳとは、周方向に異なる位置（ずれた位置）に配置されている。
【００８５】
レンズ保持環３８の当接面３８Ａは、第３レンズ３２の像側の面に当接されている。第３レンズ３２の張出部３６の外周面と鏡筒１８の内周面１８Ａとの間は離間している。
【００８６】
（作用及び効果）
次に、本実施形態の作用及び効果について説明する。
【００８７】
本実施形態では、第３レンズ３２は、レンズ保持環３８の内周面２４Ａに形成されたレンズ受部２４ＡＳにおいて、第１実施形態と同様、第３レンズ３２の周方向に間隔をあけた多点の嵌合状態となる。これにより、第１実施形態と同様に、第３レンズ３２の組立性を向上させることができる。
【００８８】
また、本実施形態では、レンズ保持環３８は、鏡筒１８の内周面１８Ａに形成された保持環受部１８ＡＳにおいて、第１実施形態と同様、レンズ保持環３８の周方向に間隔をあけた多点の嵌合状態となる。これにより、第１実施形態と同様に、レンズ保持環３８の組み立て性を向上させることができる。
【００８９】
また、第３レンズ３２の張出面３６Ａをレンズ保持環３８の位置決め面３８Ｂに当接させることにより、レンズ保持環３８に対する第３レンズ３２の光軸方向の位置決めを容易に行うことができる。
【００９０】
なお、本実施形態では、レンズ保持環３８の内周、及び、鏡筒１８の内周を、第１実施形態と同様の構成としたが、レンズ保持環３８の内周、及び、鏡筒１８の内周を、第２実施形態と同様の構成としてもよい。
【００９１】
[第４実施形態]
次に、第４実施形態のレンズユニット４０について説明する。なお、第１、第２、及び第３実施形態と同一の構成については、同一の符号を付して説明を省略する。
【００９２】
図１０に示されるように、本実施形態のレンズユニット４０は、第４レンズ４２を収容する鏡筒１８、及び、第４レンズ４２を保持するレンズ保持環４８を含んで構成されている。また、鏡筒１８には、第４レンズ４２とは別に複数のレンズが収容されて光学系が構成されている。また、図１０において、図中上側が物体側であり、図中下側が像側である。
【００９３】
（レンズの構成）
第４レンズ４２は、レンズ部４４及び張出部４６を有している。レンズ部４４は、第４レンズ４２の光学面を構成し、物体側は物体側が凸となるように湾曲され、像側は像側が凸となるように湾曲されている。張出部４６は、レンズ部４４の径方向外側に張出し、像側に向く張出面４６Ａを有している。また、張出部４６の外周には、外周面４６Ｂが形成されている。レンズ部４４と張出部４６とは、一体形成されている。
【００９４】
（レンズ保持環の構成）
レンズ保持環４８は、光軸方向の両端部が開口された環状に形成されており、樹脂成形により形成されている。レンズ保持環４８は、像側の内側に内突部４９を有している。内突部４９は、レンズ保持環４８の内周面２４Ａの径方向内側に凸となる凸条とされており、物体側を向く位置決め面４９Ａが形成されている。位置決め面４９Ａは、張出面４６Ａと当接されている。
【００９５】
レンズ保持環４８の内周面２４Ａは、第１実施形態の保持部２４と同様に、光軸方向から見て多角形状に形成されており、レンズ受部２４ＡＳを有し、隣り合うレンズ受部２４ＡＳ間に角部２４ＡＲが形成されている。レンズ保持環４８の内側には、外周面４６Ｂがレンズ受部２４ＡＳのそれぞれに当接されて、レンズ受部２４ＡＳで直線状に受けられ、第４レンズ４２が嵌合されている。
【００９６】
鏡筒１８の内側には、レンズ保持環４８、及び第４レンズ４２が収容されている。レンズ保持環４８は、内側に第４レンズ４２を嵌合させた状態で、鏡筒１８の内側に嵌合されている。レンズ保持環４８のレンズ受部２４ＡＳと、鏡筒１８の保持環受部１８ＡＳとは、周方向に異なる位置（ずれた位置）に配置されている。
【００９７】
（作用及び効果）
次に、本実施形態の作用及び効果について説明する。
【００９８】
本実施形態では、第４レンズ４２は、レンズ保持環４８の内周面２４Ａに形成されたレンズ受部２４ＡＳにおいて、第１実施形態と同様、第４レンズ４２の周方向に間隔をあけた多点の嵌合状態となる。これにより、第１実施形態と同様に、第４レンズ４２の組立性を向上させることができる。
【００９９】
また、本実施形態では、レンズ保持環４８は、鏡筒１８の内周面１８Ａに形成された保持環受部１８ＡＳにおいて、第１実施形態と同様、レンズ保持環４８の周方向に間隔をあけた多点の嵌合状態となる。これにより、第１実施形態と同様に、レンズ保持環４８の組み立て性を向上させることができる。
【０１００】
また、第４レンズ４２の張出面４６Ａをレンズ保持環４８の位置決め面４９Ａに当接させることにより、レンズ保持環４８に対する第４レンズ４２の光軸方向の位置決めを容易に行うことができる。
【０１０１】
なお、本実施形態では、レンズ保持環４８の内周、及び、鏡筒１８の内周を、第１実施形態と同様の構成としたが、レンズ保持環４８の内周、及び、鏡筒１８の内周を、第２実施形態と同様の構成としてもよい。
【０１０２】
また、上記第１〜第４実施形態に係るレンズユニットは、高温に晒されるなど結像性能の維持が難しい環境下で用いられる場合でも、性能劣化を少なくできる。したがって、監視用カメラや車載用カメラなどの高温に晒される可能性があるものに好適である。なお、監視用のレンズユニットとは、建物などに設けられ、周囲の物体などの画像を取り込むためのレンズユニットである。車載用のレンズユニットとは、車両（主に車室内）に設けられて車両の外部の物体などの画像を取り込むためのレンズユニットである。
【０１０３】
２０１６年９月２３日に出願された日本国特許出願２０１６−１８５８８２の開示は、その全体が参照により本明細書に取り込まれる。
本明細書に記載されたすべての文献、特許出願、及び技術規格は、個々の文献、特許出願、及び技術規格が参照により取り込まれることが具体的かつ個々に記された場合と同程度に、本明細書中に参照により取り込まれる。 
【符号の説明】
【０１０４】
１０、１０Ａ  レンズユニット
１２  第１レンズ（隣接部材）、  １２Ａ  溝、  １２Ｂ  Ｏリング
１４  第２レンズ
１５  レンズ部、  １５Ａ 外周面、    １６  張出部、  １６Ａ  張出面
１８ 鏡筒、    １８Ａ  内周面、  １８ＡＲ  角部、    １８ＡＳ、保持環受部、  １８Ｋ  カシメ部
１９ 内周壁、    １９Ａ 保持環受部、    １９Ｂ  溝
２０  レンズ保持環、  ２０Ａ 外周面、  ２０Ｇ  ゲート跡部、  ２１  内周壁、      ２１Ａ レンズ受部、  ２１Ｂ 溝、  ２２間  隔規定部、  ２２Ａ  当接面
２４ 保持部、  ２４Ａ  内周面、  ２４ＡＲ  角部、    ２４ＡＳ  レンズ受部、
２４Ｂ  位置決め面、
３０  レンズユニット、  ３２  第３レンズ
３４ レンズ部、  ３４Ａ 外周面、  ３６  張出部、  ３６Ａ 張出面
３８ レンズ保持環、  ３８Ａ  当接面、  ３８Ｂ 位置決め面、
４０ レンズユニット、  ４２  第４レンズ、  ４４  レンズ部、  ４６ 張出部
４６Ａ 張出面、    ４６Ｂ 外周面、  ４８  レンズ保持環、  ４９  内突部
４９Ａ 位置決め面、  Ｐ１  保持位置、  Ｐ２ 保持位置、  Ｓ  光軸
【図１】
0006479282.tif 000002
【図２】
0006479282.tif 000003
【図３】
0006479282.tif 000004
【図４】
0006479282.tif 000005
【図５】
0006479282.tif 000006
【図６】
0006479282.tif 000007
【図７】
0006479282.tif 000008
【図８】
0006479282.tif 000009
【図９】
0006479282.tif 000010
【図１０】
0006479282.tif 000011